(57)【要約】      （修正有）【課題】植木鉢に植栽する観賞用植物や果樹、野菜類などの植物への給水が、植木鉢の外に散水される事なく、簡単な操作により、鉢内に植栽した植物の周囲の土に平均的に散水されて植物に給水できる給水器を提供する。【解決手段】上部にじょうご部２を連設し、側部に固定用主軸ピンを連設した給水器本体１は、じょうご部２の底部の注水穴７が通じる両ホース連結端部の内部に、多数の給水孔４が穿設され環状に形成した柔軟性のホース３の両ホース端部をそれぞれ挿し込み水密状に連結し、又、使用時には、ホース３を嵌着する支持部９を設けた固定用ピン８を、前記ホース３の適宜個所に複数個嵌着する。【選択図】図１
0003153151.tif 000002
【実用新案登録請求の範囲】
【請求項１】
上部にじょうご部を連設し、側部に固定用主軸ピンを連設した給水器本体は、じょうご部の底部の注水穴が通じる両ホース連結端部の内部に、多数の給水孔が穿設され環状に形成した柔軟性のホースの両ホース端部をそれぞれ挿し込み、水密状に連結する事を特徴とする植木鉢に植栽する植物の給水器。
【請求項２】
上部にじょうご部を連設し、側部に固定用主軸ピンを連設した給水器本体は、じょうご部の底部の注水穴が通じる両ホース連結端部の内部に、多数の給水孔が穿設され環状に形成した柔軟性のホースの両ホース端部をそれぞれ挿し込み、水密状に連結すると共に、ホースを嵌着する支持部を設けた固定用ピンを、前記ホースの適宜個所に複数個嵌着する事を特徴とする植木鉢に植栽する植物の給水器。
【考案の詳細な説明】
【技術分野】
【０００１】  本考案は、植木鉢に植栽する各種の植物の給水器に関する。
【背景技術】
【０００２】  従来、植木鉢に植栽する観賞用各種植物や野菜類などに給水するには、一般的には粒状に散水され、水量が加減しやすい如露（じょろ）を使用してその都度、給水している。しかし、植木鉢の大きさは一定でないので、如露の散水角度が大きく、又、散水距離が離れると、植木鉢の外まで散水される事があり、室内で植栽する観賞用植物等の給水に対しては如露は適当に給水器ではなかった。【０００３】  又、カップ等を使用して給水すると、植木鉢内の土壌の一個所だけに集中して注水されるため、水分に敏感な植物には適さない給水の仕方であり、根腐れを起こす要因ともなっている。
【考案の開示】
【考案が解決しようとする課題】
【０００４】  植木鉢に植栽する植物への給水が、植木鉢の外にまで散水される事がなく、極めて簡単な操作で植木鉢内の植物の周囲の土壌に平均的に散水され、その水量の把握も容易な給水器の開発を課題としている。
【課題を解決するための手段】
【０００５】  本考案は、課題を解決するために、給水器本体は、上部に注水するじょうご部を連設し、側部に給水器本体を植木鉢内の土壌に挿し込む固定用主軸ピンを連設し、じょうご部の底部の注水穴が通じる両ホース連結端部の内部に、多数の給水孔が穿設され環状に形成した柔軟性のホースの両ホース端部を、それぞれ水密状に連結し、又、前記のホースを植木鉢内の土の上に固定するため、ホースを嵌着する支持部を設けた固定用ピンを、前記ホースの適宜個所に複数個嵌着する事を特徴とする植物の給水器である。
【考案の効果】
【０００６】  本考案は図６に使用例を示す通り、植木鉢１１内の土壌１２の上面に配置し、給水器本体のじょうご部２に注水すると、給水器本体１の両ホース連結端部５、５’に両端のホース端部１０を水密状に連結され環状に形成された柔軟性のホース３内に流入し、ホース３に穿設された多数の給水孔４から矢符に示す通り植木鉢１１内に散水される。【０００７】  従って、植木鉢１１の内縁に沿った環状のホース３に多数の給水孔４を設ける事により、植木鉢１１内の土壌１２の表面内縁側に沿って散水され、植栽する植物の周囲の土壌１２に均等的に給水する事ができる。この事により、植物の根元に直接多量に注水される事が無くなるので根腐れなどの防止にもなる。この効果は、予め水の中に植物栄養素や除虫液を混入しておく事により、植木鉢１１内の土壌１２に均等的に栄養素や除虫液を散布する事も可能にする。【０００８】  又、本考案は、植木鉢１１内の土壌１２の表面に設置する際には、給水器本体１に連設する固定用主軸ピン６が給水器本体１の設置を固定させるため、じょうご部２は安定し注水し易くなる。又、植木鉢１１の内縁に沿って配置する環状のホース３は各ず示す通り、適宜の個所を植木鉢１１内の土壌１２に挿し込んだ固定用ピン８に連接したハイプ３固定のための支持部９により位置を固定されるので、各注水孔４から散水される水の給水位置は固定し、何時でも所期の方向に散水する事ができる。【０００９】  本考案はホース３を自由に屈曲できる柔軟性にする事により、植木鉢の形状に限定される事なく、多種の形状の植木鉢にも使用する事が可能である。
【考案を実施するための最良の形態】
【００１０】  図１及び図２、図３により説明する。本考案において、給水器本体１とじょうご部２と固定用主軸ピン６は樹脂材により一体生計して構成する。ホース３は自由に屈曲できる柔軟性を有する事により、多種の形状の植木鉢に使用する事が可能となる。ホース３に多数穿設する注水孔４の数及び孔径は適宜設定し、ホース３の長さは植木鉢の寸法に応じて任意の長さに切断する事ができ、その両端のホース端部１０は給水器本体１のホース連結端部５及び５’に挿嵌する事により簡単に水密状に連結する事ができる。【００１１】  又、給水器本体１を植木鉢内に設置する場合、図６に示す通り環状のホース３の位置を固定させて、多数の給水孔４からの給水を安定させるために、ホース３を嵌着して支持する支持部９を設けた固定用ピン８を使用し、植木鉢１１内の土壌１２に挿し込んだ固定用ピン８の支持部９によりホース３の適宜個所を支持する。
【実施例】
【００１２】  図１及び図２に示す実施例について説明する。給水器本体１は、植木鉢１１に給水する水を一個所に注ぐため上部にじょうご部２を連設し、側部には使用の際に植木鉢内の土壌に挿し込む固定用主軸ピン６を連設する。じょうご部２の底部には注水穴７を設け、その注水穴７は、図３及び図４に拡大図示する通り、給水器本体１の両端のホース連結端部５、５’の内部に通じる。この両ホース連結端部５、５’には、多数の給水孔４が穿設され、かつ環状に形成した柔軟性のホース３のホース端部１０をそれぞれ挿し込み、水密状に連結する。【００１３】  又、本考案は植木鉢内の土壌の表面に設置するが、環状のホース３の位置を安定させるために、側部にホース３を嵌着する支持部９が突出し、下端は土壌１２に挿し込み易いように尖鋭に形成した固定用ピン８を使用する。【００１４】  図６は本考案に係る給水器の使用例を示す。本考案は植木鉢１１の中の土壌１２の表面に設置するが、じょうろ部２を上にして固定用主軸ピン６を植木鉢１１の内縁付近に突き挿して位置を固定し、土壌１２の表面に配置する。【００１５】  この状態で、給水器本体１に連結される環状のホース３は、全給水孔４を内側に向けて植木鉢１１の内縁に沿わせて配置すると共に、突出する支持部９にホース３を嵌着させた固定用ピン８を複数使用して土壌１２に突き挿す事により、ホース３の各部分の位置を固定する。【００１６】  この状態において、上部のじうご部２に注水すると、水は給水器本体１を通って環状のホース３に流入し、多数の給水孔４から植木鉢１１の内側に向かって散水される。従って植木鉢１１内に散水される給水量は、じょうご部２に注水する水量で容易に把握できる。
【図面の簡単な説明】
【００１７】
【図１】  本考案に係る植木鉢の給水器の実施例の平面図である。
【図２】  図１に示す実施例の正面図である。
【図３】  図２に示す給水器本体部分のホース並行方向の拡大縦断面図である。
【図４】  図２に示す給水器本体部分のホース直角方向の拡大縦断面図である。
【図５】  固定用ピンがホースを支持する状態の斜視図である。
【図６】  本考案を使用し植木鉢に給水する使用状態を示す１部切開正面図である。
【符号の説明】
【００１８】１．  給水器本体
２．  じょうご部
３．  ホース
４．  給水孔
５．５’ホース連結端部
６．  固定用主軸ピン
７．  注水穴
８．  固定用ピン
９．  支持部
１０．ホース端部
１１．植木鉢
１２．土壌
１３．ストッパー突起
【図１】
0003153151.tif 000003
【図２】
0003153151.tif 000004
【図３】
0003153151.tif 000005
【図４】
0003153151.tif 000006
【図５】
0003153151.tif 000007
【図６】
0003153151.tif 000008